(57)【特許請求の範囲】
【請求項１】
通信端末装置であって、
画面を有するディスプレイと、
前記ディスプレイの前記画面上に配置されたフロントパネルと、
前記画面における物体の接触を検出するように構成されたタッチ検出部と、
前記フロントパネルの、前記画面を囲む周縁領域に設置された近接センサと、
前記近接センサの出力値と検出閾値とを比較した結果に基づいて、前記フロントパネルに対する物体の接近を検出する近接検出部と、
前記検出閾値を設定する検出閾値設定部とを備え、
前記近接センサは、
前記フロントパネルを通じて前記通信端末装置の外部に向けて光を発光する発光部と、
前記発光部から発せられ、前記物体または前記フロントパネルで反射した光を受光して電気信号に変換するように構成された受光部とを含み、
前記検出閾値設定部は、前記タッチ検出部の出力値および前記近接センサの出力値に基づいて前記近接センサが前記物体に覆われていないことが検出された場合に、前記近接センサの出力値に基づいて前記検出閾値を設定する、通信端末装置。
【請求項２】
前記検出閾値設定部は、前記近接センサが前記物体に覆われていないことが検出された場合には、前記近接センサの出力値における基底値を算出し、算出された前記基底値に基づいて前記検出閾値を設定する、請求項１に記載の通信端末装置。
【請求項３】
前記検出閾値設定部は、前記検出閾値を前記基底値よりも高い値に設定する、請求項２に記載の通信端末装置。
【請求項４】
前記検出閾値設定部は、前記画面のうち前記近接センサに近い一部領域における前記タッチ検出部の出力値と、前記近接センサの出力値とに基づいて、前記近接センサが前記物体に覆われていないことを検出する、請求項１から請求項３のいずれか１項に記載の通信端末装置。
【請求項５】
前記検出閾値設定部は、前記一部領域における前記タッチ検出部の出力値に基づいて、前記一部領域が前記物体に覆われていないことが検出された場合であって、前記近接センサの出力値が判定値以下であるときに、前記近接センサが前記物体に覆われていないことを検出する、請求項４に記載の通信端末装置。
【発明の詳細な説明】
【技術分野】
【０００１】
この発明は、近接センサを備えた通信端末装置に関する。
【背景技術】
【０００２】
スマートフォンやタブレットなどの通信端末装置においては、タッチパネル方式のディスプレイを採用したものが普及している。このような通信端末装置には、ディスプレイを制御するために近接センサを搭載したものがある。
【０００３】
近接センサは、検出対象物（たとえば、人体）に接触することなく、検出対象物が近づいていることを検出するためのセンサである。通信端末装置では、主に、ディスプレイにユーザの耳や顔などが近づいていることを検出するために用いられている（たとえば特開２０１２−３４２６３号公報（特許文献１）参照）。
【先行技術文献】
【特許文献】
【０００４】
【特許文献１】特開２０１２−３４２６３号公報
【発明の概要】
【発明が解決しようとする課題】
【０００５】
通信端末装置に搭載される近接センサには、赤外線方式の近接センサがある。赤外線方式の近接センサは、発光素子から出射された赤外線が検出対象物に当たり、検出対象物から反射して戻ってきた反射光を受光素子が電気信号に変換するように構成されている。
【０００６】
上記構成において、受光素子が出力する電気信号と予め設定した検出閾値とを比較することによって、検出対象物が近づいていることを検出する。したがって、検出閾値を調整することで、物体の接近を検出するときの物体との距離を調整することができる。
【０００７】
その一方で、通信端末装置においては、近接センサの受光素子が受光する反射光には、近接センサの前面に配置されたフロントパネルからの反射光が少なからず含まれている。そのため、フロントパネルからの反射光が検出閾値を上回っている場合には、検出対象物からの反射光が検出閾値を超えたものと誤って判断されてしまい、結果的に、検出対象物が近づいていると誤って検出される虞がある。したがって、近接センサにおける誤検出を防止するためには、フロントパネルからの反射光の影響を考慮することで、検出閾値を正確に設定することが求められる。
【０００８】
本発明は、このような問題を解決するためになされたものであって、その目的は、近接センサにおける誤検出を防止することが可能な通信端末装置を提供することである。
【課題を解決するための手段】
【０００９】
この発明のある局面では、通信端末装置は、画面を有するディスプレイと、ディスプレイの画面上に配置されたフロントパネルと、タッチ検出部と、近接センサと、近接検出部と、検出閾値設定部とを備える。タッチ検出部は、画面における物体の接触を検出するように構成される。近接センサは、フロントパネルの、画面を囲む周縁領域に設置される。近接検出部は、近接センサの出力値と検出閾値とを比較した結果に基づいて、フロントパネルに対する物体の接近を検出する。近接センサは、発光部と受光部とを含む。発光部は、フロントパネルを通じて通信端末装置の外部に向けて光を発光する。受光部は、発光部から発せられ、物体またはフロントパネルで反射した光を受光して電気信号に変換するように構成される。検出閾値設定部は、タッチ検出部の出力値および近接センサの出力値に基づいて近接センサが物体に覆われていないことが検出された場合に、近接センサの出力値に基づいて検出閾値を設定する。
【発明の効果】
【００１０】
この発明によれば、近接センサにおける誤検出を防止することが可能な通信端末装置を提供することができる。
【図面の簡単な説明】
【００１１】
【図１】本実施の形態に係る通信端末装置の外観の一例を示す外観図である。
【図２】近接センサの一構成例を示す概略断面図である。
【図３】近接センサの出力値を示した波形図である。
【図４】近接センサにおける検出距離のずれを説明するための概略断面図である。
【図５】本実施形態に係る通信端末装置のハードウェア構成の一例を示す図である。
【図６】本実施形態に係る通信端末装置の制御構造を示すブロック図である。
【図７】検出閾値設定部における検出閾値の設定処理の流れを説明するためのフローチャートである。
【図８】図７のステップＳ０２における判定動作を説明するための模式図である。
【図９】図８中の矢印ＩＸ方向から見た通信端末装置の側面図である。
【図１０】検出エリアの一例を示す外観図である。
【図１１】検出閾値設定部における検出閾値の設定処理を説明するための波形図である。
【発明を実施するための形態】
【００１２】
以下、本発明の実施の形態について図面を参照して詳細に説明する。なお、以下図中の同一または相当部分には同一符号を付して、その説明は原則的に繰返さないものとする。
【００１３】
図１は、本実施の形態に係る通信端末装置の外観の一例を示す外観図である。本明細書では、通信端末装置としてスマートフォンを想定するが、本発明は、スマートフォンに限られず、ＰＤＡ（Personal  Digital  Assistant）およびタブレットＰＣ（Personal  Computer）など任意の通信端末装置に適用することが可能である。
【００１４】
図１は、通信端末装置１０の正面の外観を示す。通信端末装置１０は、扁平矩形の外観を有している。以下、説明の便宜上、通信端末装置１０の主面の長手方向を上下方向と定義し、主面の短手方向を左右方向と定義する。
【００１５】
図１を参照して、通信端末装置１０の正面の外観は、主にフロントパネル２０によって形成される。フロントパネル２０は、縦長の扁平矩形の透明基板で形成されている。フロントパネル２０にはタッチスクリーン３０が一体的に形成されている。
【００１６】
タッチスクリーン３０は、各種のデータの表示とともに、ユーザの入力操作を受け付ける、表示一体型入力装置である。具体的には、タッチスクリーン３０は、ディスプレイとタッチパネルとにより構成される。ディスプレイは、画像を表示するための画面を含んでいる。
【００１７】
ディスプレイは、フロントパネル２０の裏面に貼り付けられている。ディスプレイは、たとえば液晶または有機ＥＬ（Electro  Luminescence）などで構成されている。タッチパネルは、フロントパネル２０とディスプレイとの間に配置される。なお、本実施形態では、ディスプレイ、タッチパネルおよびフロントパネル２０が積層されているが、これに限らず、タッチパネル機能を持つディスプレイを使用してもよい。タッチパネルおよびタッチパネル機能を持つディスプレイは、画面における物体の接触を検出するように構成された「タッチ検出部」を構成する。
【００１８】
フロントパネル２０の、画面を囲む周縁領域には、近接センサ４０が内蔵されている。図１には、たとえばフロントパネル２０の左上側に近接センサ４０が設置される場合が例示されている。
【００１９】
近接センサ４０は、物体（たとえば、人体）に接触することなく、物体が接近していることを検出するためのセンサである。近接センサ４０には、反射型の光電センサにより構成される。反射型の光電センサとは、発光部から光を出射し、検出対象物によって反射する光を受光部で検出して電気信号に変換することにより出力信号を得るものである。本実施形態では、近接センサ４０は、たとえば、赤外線の発光部と赤外線の受光部とを含む赤外線方式の近接センサである。なお、発光部が出射する光は、赤外線以外の光であってもよく、たとえば紫外線または可視光であってもよい。
【００２０】
図２は、近接センサ４０の一構成例を示す概略断面図である。図１および図２を参照して、フロントパネル２０には、近接センサ４０を露出させるための開口部２２が設けられている。具体的には、フロントパネル２０は、縦長の扁平矩形の透明基板２４と、遮光膜２６とを含む。透明基板２４には、たとえばガラス基板が用いられる。
【００２１】
遮光膜２６は、透明基板２４の裏面に貼り付けられている。遮光膜２６は、ディスプレイの画面に対応した領域を囲むように配置されている。遮光膜２６は、近接センサ４０に対応する領域に開口部２２を有する。
【００２２】
近接センサ４０は、発光部４２および受光部４４を含む。発光部４２および受光部４４は、フロントパネル２０の裏面に対向配置された基板５０上に搭載されている。発光部４２および受光部４４は、通信端末装置１０の正面視において、開口部２２内に位置している。
【００２３】
発光部４２は赤外線を発光する。発光部４２が発光した赤外線は、図２中に矢印で示されるように、フロントパネル２０の開口部２２を通じて、通信端末装置１０の外部に向けて出射される。出射された赤外線は、物体２００に当たって反射する。
【００２４】
受光部４４は、フロントパネル２０の開口部２２を通じて、物体２００から反射して戻ってきた赤外線を受光する。受光部４４は、受光した赤外線を電気信号に変換して出力する。
【００２５】
図３は、近接センサ４０の出力値を示した波形図である。図３において、縦軸は近接センサ４０の出力値を示し、横軸はフロントパネル２０の主面から物体２００までの距離を示す。なお、本明細書において、近接センサ４０の出力値とは、受光部４４が検出する赤外線の受光量を表す物理量である。近接センサ４０の出力値の単位は、ルクス（ｌｘ）であってもよいし、アンペア（Ａ）であってもよいし、ボルト（Ｖ）であってもよいし、単なるデジタル計数値であってもよい。
【００２６】
図中に実線で示すように、フロントパネル２０から物体２００までの距離が長くなるに従って、すなわち、フロントパネル２０から物体２００が離れるに従って、近接センサ４０の出力値は小さくなる。物体２００が十分に離れている場合において、近接センサ４０の出力値は一定値に収束する。本明細書において、近接センサ４０の出力値が収束するときの値を「基底値」と定義する。基底値は、フロントパネル２０を透過せずに、フロントパネル２０から反射して戻ってきた赤外線の受光量に依存する。
【００２７】
近接センサ４０の出力値は、予め設定された検出閾値と比較される。近接センサ４０の出力値が検出閾値よりも大きいときに、物体２００が接近していると検出される。一方、当該出力値が検出閾値以下のときには、物体２００が接近していないと検出される。
【００２８】
本明細書では、物体２００の接近を検出したときの距離を「検出距離」と定義する。図３から明らかなように、検出距離は、検出閾値を大きくすれば短くなり、逆に検出閾値を小さくすれば長くなる。したがって、近接センサ４０の出力波形に基づいて、実現したい検出距離に応じて検出閾値を設定することができる。
【００２９】
ただし、フロントパネル２０からの反射光の影響を考慮して、検出閾値を基底値よりも高い値に設定する必要がある。これは、検出閾値が基底値以下であると、フロントパネル２０からの反射光の光量が検出閾値を超えたときに、誤って物体２００が接近していると検出されてしまうことによる。
【００３０】
ここで、上述のように、基底値は、フロントパネル２０からの反射光の光量に依存する。そのため、図４に示されるように、フロントパネル２０の開口部２２を覆うように、フロントパネル２０の表面に汚れ２１０が付着している場合には、フロントパネル２０からの反射光の光量が増えるため、基底値も大きくなる。
【００３１】
フロントパネル２０からの反射光の光量が増加すると、近接センサ４０の出力値は、図３中に破線で示すように、フロントパネル２０での反射光の増加分によって、いわゆる嵩上げされた状態となる。そのため、検出閾値が所定の設計値に固定されている場合には、検出距離にずれが生じてしまう。この検出距離のずれは、物体２００の接近の誤った検出に繋がる。なお、検出距離のずれ量は、フロントパネル２０の汚れ具合によって変動する。
【００３２】
そこで、本実施形態では、実際の近接センサ４０の出力値に基づいて検出閾値を設定する。実際の近接センサ４０の出力値とは、近接センサ４０の出力値における基底値を意味する。これによれば、検出閾値にフロントパネル２０の汚れ具合を反映させることができるため、上述した検出距離のずれを無くすことができる。
【００３３】
本実施形態において、検出閾値の設定は通信端末装置１０内部のＣＰＵ（Central  Processing  Unit）によって実行される。以下では、ＣＰＵを含む通信端末装置１０の構成および動作について説明する。
【００３４】
図５は、本実施形態に係る通信端末装置１０のハードウェア構成の一例を示す図である。図５を参照して、通信端末装置１０は、主たる構成要素として、ＣＰＵ１００と、メモリ１０２と、無線通信部１０４と、通信Ｉ／Ｆ（Interface）１０６と、電源回路１０８と、通信アンテナ１１０と、タッチスクリーン３０と、近接センサ４０とを備える。各構成要素は、図示しないデータバスによって相互に接続されている。
【００３５】
ＣＰＵ１００は、プログラムを実行する。ＣＰＵ１００は、通信端末装置１０の各部を統括的に制御する制御部を構成する。制御部の主な制御構成については、後述する。
【００３６】
メモリ１０２は、ＲＯＭ（Read  Only  Memory）、ＲＡＭ（Random  Access  Memory）および記憶装置により実現される。ＲＯＭは、通信端末装置１０で実行される制御プログラムを不揮発的に格納する。ＲＡＭは、ＣＰＵ１００によるプログラムの実行により生成されたデータ、または入力装置を介して入力されたデータを揮発的に格納する。記憶装置は、たとえばフラッシュメモリなどの不揮発性メモリにより構成され、データを不揮発的に格納する。記憶装置に格納されるデータは、通信端末装置１０の各部を制御するためのプログラムの他、各種アプリケーションを含んでいる。
【００３７】
無線通信部１０４は、図示しない基地局との間で無線通信を行なう。具体的には、無線通信部１０４は、通信アンテナ１１０を介して無線通信網に接続し無線通信のための信号を送受信する。これにより、通信端末装置１０は、無線通信網を利用して、基地局を経由して他の通信端末装置１０と通信を行なうことができる。
【００３８】
通信Ｉ／Ｆ１０６は、外部装置との間で各種データをやり取りするものであり、アダプタやコネクタなどによって実現される。なお、通信方式としては、たとえば、Ｂｌｕｅｔｏｏｔｈ（登録商標）、無線ＬＡＮ（Local  Area  Network）などの無線通信であってもよいし、ＵＳＢ（Universal  Serial  Bus）などを利用した有線通信であってもよい。
【００３９】
電源回路１０８は、商用電源などの外部電源から電圧の供給を受けて通信端末装置１０の各部の電源電圧を生成する回路である。
【００４０】
タッチスクリーン３０は、ディスプレイ３２およびタッチパネル３４により構成される。ディスプレイ３２は、画像を表示するための画面を含んでいる。タッチパネル３４は、ユーザの入力操作を受付ける。タッチパネル３４は、たとえば静電容量方式のものを用いることによって、ユーザの指やスタイラスペンなどの物体の接触を検出する。
【００４１】
近接センサ４０は、赤外線方式を用いて、物体から反射して戻ってきた反射光、およびフロントパネル２０から反射して戻ってきた反射光を受光部４４で電気信号に変換する。ＣＰＵ１００は、近接センサ４０の出力信号を取得する。
【００４２】
通信端末装置１０における処理は、各ハードウェアおよびＣＰＵ１００により実行されるソフトウェアによって実現される。このようなソフトウェアは、メモリ１０２に予め格納されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合がある。このようなソフトウェアは、読取装置によってその記憶媒体から読み取られて、あるいは通信Ｉ／Ｆ１０６等を介してダウンロードされた後、実行可能なプログラムの形式でメモリ１０２に一旦格納される。当該ソフトウェアは、ＣＰＵ１００によってメモリ１０２から読み出され、実行可能なプログラムの形式でＲＡＭに格納される。ＣＰＵ１００はそのプログラムを実行する。
【００４３】
同図に示される通信端末装置１０を構成する各構成要素は、スマートフォンの構成要素として一般的なものである。したがって、本実施形態の本質的な部分は、メモリ１０２、メモリ１０２に格納されたソフトウェア、あるいはネットワークを介してダウンロード可能なソフトウェアであるともいえる。
【００４４】
図６は、本実施形態に係る通信端末装置１０の制御構造を示すブロック図である。図６を参照して、通信端末装置１０は、近接検出部１２０と、検出閾値設定部１３０と、制御部１４０と、入力部１５０と、近接センサ４０と、タッチパネル３４とを備える。
【００４５】
図６に示す制御構造は、基本的には、通信端末装置１０のＣＰＵ１００（図５）がメモリ１０２に格納されたオペレーションシステムおよびアプリケーションプログラムを実行し、通信端末装置１０の構成要素へ指示を与えることなどによって実現される。すなわち、ＣＰＵ１００は、通信端末装置１０の動作を統括的に制御する制御部としての機能を実現する。
【００４６】
入力部１５０は、通信端末装置１０に対するユーザからの操作を受け付ける。入力部１５０は、主に、ＣＰＵ１００とタッチパネル３４とが連係して動作することで実現される。
【００４７】
制御部１４０は、無線通信部１０４（図５）を用いた各種通信を制御するための制御するためのブロックである。制御部１４０は、通信プロトコルに従った送受信制御を含めたデータ処理を行なう。制御部１４０はまた、検出閾値を設定するための設定指令を生成し、生成した設定指令を検出閾値設定部１３０へ出力する。
【００４８】
検出閾値設定部１３０は、制御部１４０から設定指令を受け付けると、検出閾値を設定する。検出閾値設定部１３０は、設定した検出閾値を近接検出部１２０に出力する。
【００４９】
近接検出部１２０は、近接センサ４０の出力値を受け、検出閾値設定部１３０から検出閾値を受ける。近接検出部１２０は、近接センサ４０の出力値と検出閾値とを比較することにより、フロントパネル２０に物体が接近していることを検出する。近接検出部１２０は検出結果を示す信号（検出信号）を制御部１４０へ出力する。
【００５０】
制御部１４０は、近接検出部１２０から送られる信号に応じて、タッチパネル３４を制御する。制御の一態様として、制御部１４０は、近接検出部１２０によって物体が接近していることを検出すると、タッチパネル３４への入力操作を無効化する。これにより、物体がタッチスクリーン３０に接触することで、ユーザが意図しない操作が実行されることを防止する。
【００５１】
たとえば、通信端末装置１０を用いて通話する場合、ユーザはフロントパネル２０に設けられたスピーカ（図示せず）を耳周辺に接近または接触させる。このため、通話中にユーザの耳や頬がタッチスクリーン３０に触れると、タッチスクリーン３０の画面上に表示されたタッチ式ボタン（タッチによる操作を受け付けるボタン）が誤って操作される可能性がある。
【００５２】
本実施形態では、近接センサ４０の出力値に基づいて物体の接近が検出されると、制御部１４０がタッチパネル３４への操作を無効化するため、通話中の誤操作を防止することができる。なお、タッチパネル３４への操作を無効化した後、近接センサ４０の出力値に基づいて物体が接近していないことが検出されると、制御部１４０は上記無効化が解除する。
【００５３】
なお、図６に示した制御構造において、検出閾値の設定指令は、たとえば近接センサ４０の起動時に発せられる。近接センサ４０は、たとえば通信端末装置１０の電源がオンされたときに起動する。電源がオンされたときに代えて、または電源がオンされたときに加えて、ユーザの入力操作に応答して通信端末装置１０がスタンバイ状態から起動したときに、近接センサ４０が起動することも可能である。なお、スタンバイ状態とは、省電力のために、タッチスクリーン３０などの一部の動作が停止させた状態をいう。
【００５４】
あるいは、近接センサ４０の動作中、所定時間ごとに設定指令を発生することも可能である。または、近接センサ４０の起動時に代えて、近接センサ４０の停止時に発生するようにしてもよい。あるいは、ユーザからの設定要求を入力部１５０が受け付けたときに、設定指令を発生することも可能である。
【００５５】
図７は、検出閾値設定部１３０における検出閾値の設定処理の流れを説明するためのフローチャートである。なお、図７に示すフローチャートは、ＣＰＵ１００がメモリ１０２に予め格納されるプログラムを実行することによって実現される。
【００５６】
図７を参照して、まず、検出閾値の設定処理を実行するために、検出閾値設定部１３０は、ステップＳ０１により、制御部１４０から発せられる検出閾値の設定指令を受け付けたか否かを判定する。上記のように、検出閾値の設定指令は、たとえば通信端末装置１０の電源がオンされたとき、あるいは、通信端末装置１０がスタンバイ状態から起動したときに発せられる。設定指令を受け付けていないと判定されると（Ｓ０１のＮＯ判定時）、検出閾値設定部１３０は処理を終了する。この場合、検出閾値の設定が行なわれないため、初期値または前回の設定処理で設定された検出閾値が使用される。
【００５７】
一方、設定指令を受け付けたと判定されると（Ｓ０１のＹＥＳ判定時）、検出閾値設定部１３０は、検出閾値の設定が実行可能な状態であるか否かを判定する。この判定は、以下に述べるように、タッチパネル３４の出力値および近接センサ４０の出力値に基づいて実行される。
【００５８】
図４で説明したように、検出距離のずれを無くす目的から、検出閾値設定部１３０は、実際の近接センサ４０の出力値（基底値）に基づいて検出閾値を設定する。したがって、正確な基底値を取得する必要がある。
【００５９】
しかしながら、検出閾値を設定する際に、近接センサ４０が物体で覆われている場合には、近接センサ４０の出力値は、フロントパネル２０の主面から当該物体までの距離に応じて、基底値よりも高い値となる。したがって、この出力値に基づいて検出閾値を設定すると、設定された検出閾値は、基底値に基づいて設定されるべき検出閾値に比べて高くなってしまう。この結果、却って検出距離のずれが増長されることになり、近接センサ４０における誤検出を防ぐことが困難となる。
【００６０】
そこで、本実施形態では、正確な検出閾値を得るために、設定処理の最初に、検出閾値の設定が実行可能な状態であるか否か、すなわち、近接センサ４０が物体に覆われていない状態であるか否かを判定する。
【００６１】
具体的には、検出閾値設定部１３０は、ステップＳ０２により、タッチパネル３４の出力値に基づいて、近接センサ４０の上空（開口部２２からフロントパネル２０の法線方向に僅かに離間した位置）に物体が存在しているか否かを判定する。図８は、図７のステップＳ０２における判定動作を説明するための模式図である。
【００６２】
図８を参照して、タッチスクリーン３０の画面のうち、近接センサ４０に近い一部領域に検出エリアが設定される。図８中の領域ＲＧＮは検出エリアの一例を示している。図８の例では、画面を上下方向に２分割し、左右方向に２分割して、合計４個の領域に分割する。これら４個の領域のうち、最も近接センサ４０に近い領域を検出エリアＲＧＮに設定する。
【００６３】
図８に示すように、近接センサ４０の上空にユーザの指Ｆが存在する場合を想定する。図９は、この場合の通信端末装置１０を図中の矢印ＩＸ方向から見た側面図である。
【００６４】
図８および図９を参照して、近接センサ４０の上空にユーザの指Ｆが存在することによって、画面の検出エリアＲＧＮに対しても指Ｆが接近した状態となっている。このとき、指Ｆが接近することで、タッチパネル３４では、検出エリアＲＧＮにおける静電容量が変化する。検出閾値設定部１３０は、検出エリアＲＧＮにおけるタッチパネル３４の出力値に基づいて、近接センサ４０の上空に物体が存在していると判定する。なお、近接センサ４０の上空に物体が存在しているか否かを判定するために用いる判定値は、ユーザの接触位置を検出するために用いる判定値よりも小さいことが好ましい。
【００６５】
検出エリアＲＧＮは、近接センサ４０の上空に物体が存在していることを検出するための領域である。したがって、検出エリアＲＧＮは、近接センサ４０に近い一部領域に設けられていれば良く、その形状は特に限定されない。たとえば図１０に示されるように、近接センサ４０がフロントパネル２０の上部中央付近に設置されている場合には、画面を上下方向に分割し（図１０では２分割）、最も近接センサ４０に近い領域を検出エリアＲＧＮに設定することができる。
【００６６】
図７に戻って、ステップＳ０２により、検出閾値設定部１３０は、タッチパネル３４の出力値に基づいて、画面の検出エリアＲＧＮに物体が検出されたか否かを判定する。検出エリアＲＧＮに物体が検出された場合（Ｓ０２のＹＥＳ判定時）、検出閾値設定部１３０は処理を終了する。
【００６７】
これに対して、検出エリアＲＧＮに物体が検出されていない場合（Ｓ０２のＮＯ判定時）には、検出閾値設定部１３０はステップＳ０３に進み、近接センサ４０の出力値と判定値とを比較する。判定値は、検出距離よりも近い位置にある物体によって近接センサ４０が覆われているか否かを判別するための閾値である（図１１参照）。判定値は、たとえば、ユーザの手指などの物体以外の物体によって開口部２２が遮蔽されている状態を想定したものである。
【００６８】
近接センサ４０の出力値が判定値よりも高い場合（Ｓ０３のＮＯ判定時）には、検出閾値設定部１３０は処理を終了する。一方、近接センサ４０の出力値が判定値以下である場合（Ｓ０３のＹＥＳ判定時）には、検出閾値設定部１３０は、近接センサ４０が物体に覆われていない状態であると判断する。したがって、検出閾値設定部１３０は、近接センサ４０の出力値に基づいて検出閾値を設定する。
【００６９】
具体的には、検出閾値設定部１３０は、まず、ステップＳ０４により、近接センサ４０の出力値の基底値を算出する。具体的には、検出閾値設定部１３０は、所定周期で複数個の出力値を取得すると、当該複数個の出力値を統計処理することにより、基底値を算出する。検出閾値設定部１３０は、たとえば、複数個の出力値の平均値（単純平均値または加重平均値）を算出する。統計処理としては、平均値を算出する処理の他、複数個の出力値の中央値を算出する処理、または、複数個の出力値の最頻値を算出する処理などを行なうことができる。また、平均値を算出する処理では、複数個の出力値から異常値を除外したものを平均するようにしてもよい。
【００７０】
ステップＳ０５では、検出閾値設定部１３０は、図１１に示されるように、算出された基底値に所定量のマージンを加算することによって検出閾値を設定する。
【００７１】
以上説明した、検出閾値設定部１３０における検出閾値の設定処理を整理すると、検出閾値設定部１３０は、検出閾値の設定指令を受けると、タッチパネル３４の出力値に基づいて、近接センサ４０がユーザの手指などの物体で覆われているか否かを判定する（図７のＳ０２の処理）。検出閾値設定部１３０はさらに、近接センサ４０の出力値に基づいて、近接センサ４０がユーザの手指などの物体以外の物体で覆われているか否かを判定する（図７のＳ０３の処理）。そして、これらの判定結果に基づいて近接センサ４０が物体に覆われていないと判断されると、検出閾値設定部１３０は、近接センサ４０の出力値に基づいて検出閾値を設定する。
【００７２】
図７のＳ０４の処理によって算出される基底値は、フロントパネル２０の汚れ具合を反映した値となる。したがって、フロントパネル２０からの反射光の影響を考慮した、正確な検出閾値を設定することができる。この結果、検出距離のずれを無くすことができるため、物体の接近の誤った検出を防止することが可能となる。
【００７３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７４】
１０  通信端末装置、２０  フロントパネル、２２  開口部、２４  透明基板、２６  遮光膜、３０  タッチスクリーン、４０  近接センサ、４２  発光部、４４  受光部、５０  基板、１００  ＣＰＵ、１０２  メモリ、１０４  無線通信部、１０６  通信Ｉ／Ｆ、１０８  電源回路、１１０  通信アンテナ、１２０  近接検出部、１３０  検出閾値設定部、１４０  制御部、１５０  入力部、２００  物体、２１０  汚れ。
【図１】
0006559030.tif 000002
【図２】
0006559030.tif 000003
【図３】
0006559030.tif 000004
【図４】
0006559030.tif 000005
【図５】
0006559030.tif 000006
【図６】
0006559030.tif 000007
【図７】
0006559030.tif 000008
【図８】
0006559030.tif 000009
【図９】
0006559030.tif 000010
【図１０】
0006559030.tif 000011
【図１１】
0006559030.tif 000012